(57)【要約】【課題】装着中の特定の製品変形によって快適性及び液状排泄物の吸収性を向上させた吸収性物品を提供する。【解決手段】少なくとも液透過性シート、液不透過性シート、及び該液透過性シートと該液不透過性シートとの間に挟まれた吸収体を有する吸収性物品であって、  該吸収性物品の肌当接面側には、長手方向に沿って左右一対の圧搾条溝が形成され、それぞれの圧搾条溝は、少なくとも吸収体中央領域の長手方向側縁部に位置する左右圧搾条溝と、該側縁部の長手方向前方部に位置する前方部圧搾条溝と、該側縁部の長手方向後方部に位置する後方部圧搾条溝とに分離しており、その分離部分において、それらの圧搾条溝の内、最も幅方向内側に位置する圧搾条溝の端部が、長手方向中心線と平行になるか又は幅方向外側に向くように形成されている、前記吸収性物品。【選択図】図１
2010148719.tif 000002
【特許請求の範囲】
【請求項１】
少なくとも液透過性シート、液不透過性シート、及び該液透過性シートと該液不透過性シートとの間に挟まれた吸収体を有する吸収性物品であって、
該吸収性物品の肌当接面側には、長手方向に沿って左右一対の圧搾条溝が形成され、それぞれの圧搾条溝は、少なくとも吸収体中央領域の長手方向側縁部に位置する左右圧搾条溝と、該側縁部の長手方向前方部に位置する前方部圧搾条溝と、該側縁部の長手方向後方部に位置する後方部圧搾条溝とに分離しており、その分離部分において、それらの圧搾条溝の内、最も幅方向内側に位置する圧搾条溝の端部が、長手方向中心線と平行になるか又は幅方向外側に向くように形成されている、前記吸収性物品。
【請求項２】
前記左右圧搾条溝と前記前方部圧搾条溝、及び前記左右圧搾条溝と前記後方部圧搾条溝は、それぞれ、それらの端部が幅方向において重なっている、請求項１に記載の吸収性物品。
【請求項３】
体液排泄口該当位置における左右圧搾条溝間の距離が、左右圧搾条溝の前端部間の距離、又は左右圧搾条溝の後端部間の距離よりも長い、請求項１又は２に記載の吸収性物品。
【請求項４】
前記左右圧搾条溝の前端部間、及び／又は前記左右圧搾条溝の後端部間に、長手方向中心線を横断する横断圧搾条溝が設けられている、請求項１〜３のいずれか１項に記載の吸収性物品。
【請求項５】
前記横断圧搾条溝が、前記の前方部圧搾条溝間、及び前記の後方部圧搾条溝間に設けられており、かつ、該後方部圧搾条溝間に設けられた圧搾条溝部の剛性は、該前方部圧搾条溝間に設けられた圧搾条溝部の剛性よりも低い、請求項１〜４のいずれか１項に記載の吸収性物品。
【請求項６】
前記前方部圧搾条溝、及び前記後方部圧搾条溝が、それぞれ、長手方向外側に凸に湾曲するように連結されている、請求項１〜５のいずれか１項に記載の吸収性物品。
【請求項７】
前記左右圧搾条溝と、前記前方部圧搾条溝と、前記後方部圧搾条溝とでほぼ囲まれた領域に、複数の点状圧搾部が間隔を空けて配置されている、請求項１〜６のいずれか１項記載の吸収性物品。
【請求項８】
前記圧搾条溝はすべて高圧搾部と低圧搾部とから成り、該高圧搾部は、圧搾条溝を幅方向にほぼ横切るように形成されかつ圧搾条溝の長手方向に間隔をおいて配置されている横断高圧搾部領域と、圧搾条溝を横断しないように形成されかつ該領域間に間隔をおいて配置されている非横断高圧搾部領域とから成る、請求項１〜７のいずれか１項記載の吸収性物品。
【請求項９】
前記低圧搾部が、横断高圧搾部領域間において圧搾条溝の長手方向に連続するように形成されている、請求項１〜８のいずれか１項記載の吸収性物品。
【発明の詳細な説明】
【技術分野】
【０００１】
本発明は、装着中の吸収性物品の変形による快適性及び吸収性を向上させた、生理用ナプキン、パンティライナー、失禁パッド等に使用される吸収性物品に関する。
【背景技術】
【０００２】
特許文献１には、吸収層における肌当接面側に、長手方向前後に一対及び長手方向に沿って左右一対の凸状に湾曲した溝を有する吸収性物品が記載されている。該吸収性物品では、左溝の前端部及び右溝の前端部は、前溝の後端部よりも長手方向前側に位置し、前記左溝の後端部及び前記右溝の後端部は、後溝の前端部よりも長手方向後側に位置している。そのため、左溝及び右溝を長手方向中心線方向に延長して得られるいわゆる仮想延長線が、長手方向中心線上で交わる略Ｖ字状の折り線を形成する。
【０００３】
通常、吸収性物品の装着中に左右の溝に跨ぐりから力がかかり（図７のＹ領域に力がかかる）、その力はその溝の長手方向中心線に近い方向に伝わっていく。特許文献１の吸収性物品では、左右の溝の前後端部が長手方向中心に向かって伸びるように形成されており、且つ、体液排泄口該当位置よりも端部は長手方向中心線に近いために、この点に力が集中しすぎてしまい、長手方向中心線上の吸収体は肌当接面側に出っ張り部を形成し、この出っ張り部と左右の溝の前端部又は後端部と結んだ形状が突起状に変形しやすくなる。そのため、該突起部が肌とこすれることにより装着中に違和感を感じたり、長手方向中心線上の吸収体に付着する液状排泄物が突起部の斜面を転がって拡がりやすくなり漏れの原因となったりする。
【０００４】
【特許文献１】特開２００７−１９５６６５公報
【発明の開示】
【発明が解決しようとする課題】
【０００５】
そこで、本発明は、装着中の特定の吸収性物品の変形によって快適性及び液状排泄物の吸収性を向上させた吸収性物品を提供することを目的とする。
【課題を解決するための手段】
【０００６】
本発明者らは、かかる実情に鑑み鋭意検討を行った結果、吸収性物品の肌当接面側に、長手方向に沿って左右一対の圧搾条溝を配置し、それぞれの圧搾条溝を、少なくとも吸収体中央領域の長手方向側縁部と、該側縁部の長手方向前方部と、該側縁部の長手方向後方部とに分離し、その分離部分において、それらの圧搾条溝の内、最も幅方向内側に位置する圧搾条溝の端部を、長手方向中心線と平行になるか又は幅方向外側に向くように形成させることにより、肌当接面側に向かって、所望の形状の隆起部が形成され、上記課題を解決し得ることを見出し、本発明を完成させた。
以下、本明細書で言う「隆起部」とは、吸収性物品の装着中に左右圧搾条溝に跨ぐりから力がかかり（図７の領域Ｙに力がかかる）、その力が長手方向中心線に近い方向に力が伝わって、肌当接面側に形成される吸収性物品の部分を称し、その形状は、特許文献１に記載のような突起状ではなく、緩やかな凸状である。
【０００７】
すなわち、（１）本発明は、少なくとも液透過性シート、液不透過性シート、及び該液透過性シートと該液不透過性シートとの間に挟まれた吸収体を有する吸収性物品であって、
該吸収性物品の肌当接面側には、長手方向に沿って左右一対の圧搾条溝が形成され、それぞれの圧搾条溝は、少なくとも吸収体中央領域の長手方向側縁部に位置する左右圧搾条溝と、該側縁部の長手方向前方部に位置する前方部圧搾条溝と、該側縁部の長手方向後方部に位置する後方部圧搾条溝とに分離しており、その分離部分において、それらの圧搾条溝の内、最も幅方向内側に位置する圧搾条溝の端部が、長手方向中心線と平行になるか又は幅方向外側に向くように形成されている、前記吸収性物品を提供する。
（２）本発明は、前記左右圧搾条溝と前記前方部圧搾条溝、及び前記左右圧搾条溝と前記後方部圧搾条溝は、それぞれ、それらの端部が幅方向において重なっている、（１）に記載の吸収性物品を提供する。
（３）本発明は、体液排泄口該当位置における左右圧搾条溝間の距離が、左右圧搾条溝の前端部間の距離、又は左右圧搾条溝の後端部間の距離よりも長い、（１）又は（２）に記載の吸収性物品を提供する。
（４）本発明は、前記左右圧搾条溝の前端部間、及び／又は前記左右圧搾条溝の後端部間に、長手方向中心線を横断する横断圧搾条溝が設けられている、（１）〜（３）のいずれか１に記載の吸収性物品を提供する。
（５）本発明は、前記横断圧搾条溝が、前記の前方部圧搾条溝間、及び前記の後方部圧搾条溝間に設けられており、かつ、該後方部圧搾条溝間に設けられた圧搾条溝部の剛性は、該前方部圧搾条溝間に設けられた圧搾条溝部の剛性よりも低い、（１）〜（４）のいずれか１に記載の吸収性物品を提供する。
（６）本発明は、前記前方部圧搾条溝、及び前記後方部圧搾条溝が、それぞれ、長手方向外側に凸に湾曲するように連結されている、（１）〜（５）のいずれか１に記載の吸収性物品を提供する。
（７）本発明は、前記左右圧搾条溝と、前記前方部圧搾条溝と、前記後方部圧搾条溝とでほぼ囲まれた領域に、複数の点状圧搾部が間隔を空けて配置されている、（１）〜（６）のいずれか１に記載の吸収性物品を提供する。
（８）本発明は、前記圧搾条溝はすべて高圧搾部と低圧搾部とから成り、該高圧搾部は、圧搾条溝を幅方向にほぼ横切るように形成されかつ圧搾条溝の長手方向に間隔をおいて配置されている横断高圧搾部領域と、圧搾条溝を横断しないように形成されかつ該領域間に間隔をおいて配置されている非横断高圧搾部領域とから成る、（１）〜（７）のいずれか１に記載の吸収性物品を提供する。
（９）本発明は、前記低圧搾部が、横断高圧搾部領域間において圧搾条溝の長手方向に連続するように形成されている、（１）〜（８）のいずれか１に記載の吸収性物品を提供する。
【発明の効果】
【０００８】
本発明の吸収性物品は、装着中に肌と吸収性物品がこすれることが少ないため、違和感を感じることがほとんどなく、かつ液状排泄物の吸収性に優れる。
【発明を実施するための最良の形態】
【０００９】
以下に、本発明の吸収性物品の好ましい一実施形態（第１実施形態）について、図面を参照しながら説明する。
第１実施形態の吸収性物品１は、図１及び図３に示すように、少なくとも、液透過性シート２、液不透過性シート３、及び液透過性シートと液不透過性シートとの間に挟まれた吸収体４とからなる。
【００１０】
吸収性物品の肌当接面側には、長手方向に沿って左右一対の圧搾条溝７ａ、７ｂが形成されている。圧搾条溝は、液透過性シート２と吸収体４とを一体化するためだけでなく、経血、尿等の身体からの液状排泄物（以下、単に「体液」と言うことがある）の横への広がりを堰き止め、体液を吸収体下方に効率良く移行させる役割も果たす。それぞれの圧搾条溝は、少なくとも吸収体中央領域５の長手方向側縁部に位置する左右圧搾条溝７ａ、７ｂと、該側縁部の長手方向前方部に位置する前方部圧搾条溝７ｃと、該側縁部の長手方向後方部に位置する後方部圧搾条溝７ｄとに分離している。これは、長手方向における吸収性物品の柔軟性を向上させるためと、仮に左右圧搾条溝７ａ、７ｂと前方部圧搾条溝７ｃとが連続していると、股ぐりから力が加わった際に、前方部圧搾条溝方向又は後方部圧搾条溝方向にも力が逃げやすくなるために、隆起部がうまくつくれないためである。
【００１１】
左右圧搾条溝の長さは、体液を受ける中心線（Ａ−Ａ’）近傍（以下、中心部とも言う）から前後に２０〜８０ｍｍの範囲、好ましくは２５〜６０ｍｍの範囲にある。２０ｍｍ未満では中心部からの距離が近くなりすぎて漏れやすく、８０ｍｍを超えると股ぐりからの力が十分に伝わらずにうまく隆起部をうまくつくれない。中心部からの前後の長さは同一である必要はなく、後側の長さの方が長くてもよい。
前方部圧搾条溝の前端部から後方部圧搾条溝の後端部までの長さは、吸収性物品の長手方向の長さが２１０ｍｍである場合に、１００ｍｍ以上であればよい。１００ｍｍ未満では、装着者の歩行時股ぐりから圧搾条溝に効率良く力が伝わらない。
【００１２】
左右圧搾条溝は、装着中に股ぐりから力が加わる排泄部該当位置を跨ぐように位置している。中心部においては、幅方向内側に凸状であり、かつ前後方向に向かうにつれて側縁部方向に左右圧搾条溝間の距離が広がりつつ、前後端部付近においては長手方向中心線（Ｘ−Ｘ’）に向かうように設計されている。
【００１３】
但し、最も幅方向内側に位置する、左右圧搾条溝７ａ、７ｂの前端部１２ｂ、後端部１２ｃは、幅方向外側に向くように、あるいは長手方向中心線と平行になるように形成されている必要がある。それによって、形成される隆起部は、特許文献１に記載のような急激な突起状とはならないため、隆起部が肌とこすれることによる違和感が少なく、また、体液受液口の前後部に緩やかな凸型斜面ができるために、長手方向中心線上に付着する体液が隆起部の斜面を転がって拡散せず漏れを軽減できる。図１では、前端部１２ｂ及び後端部１２ｃが幅方向外側に向くように形成されている態様を示す。該態様では、前端部１２ｂ及び後端部１２ｃより長手方向に仮想的に延ばした直線（仮想延長線）が長手方向中心線と交差しない。なお、この場合、仮想延長線は、圧搾条溝の幅方向最外部に沿って引いたものでも、端部における圧搾条溝の幅方向中心線に沿って引いたものでもよい。図１Ａに、前端部１２より長手方向に延ばした仮想延長線（Ｌ１）で示す。
【００１４】
左右圧搾条溝の前端部間の距離ＦＤ及び後端部間の距離は等しく、中心部における左右圧搾条溝間の距離ＣＤと比べて短いことが好ましい。股ぐりの力がまず中心部に伝わり、そこから、圧搾条溝間の距離が短くなっていく前後端部へと力が伝わっていき、前後端部方向に股ぐりの力を集中させることができるからである。その結果、吸収性物品中心部よりも中心部を挟んだ前後部により高い隆起部を形成させることができるため、中心部で受け止めた体液を前後方向に拡散しにくくすることができる。
【００１５】
中心部における左右圧搾条溝間の距離ＣＤは、２０ｍｍ〜５０ｍｍの範囲が好ましい。２０ｍｍ未満では、吸収面が狭くなってしまい漏れる可能性があり、５０ｍｍを超えると、股間幅よりも大きくなってしまうために股間の力を伝えることができない。中心部における左右圧搾条溝間の距離ＣＤと、左右圧搾条溝の前端部間の距離ＦＤ（又は後端部間の距離）との差は、５ｍｍ〜３０ｍｍの範囲であることが好ましい。５ｍｍ未満では、中心部からの力を前後端部に十分に伝えることができず、中心部で受け止めた体液を前後方向に拡散しにくくする効果が十分に得られにくい。３０ｍｍを超えると、前端部間の距離ＦＤ（又は後端部間の距離）が小さくなり、中心部の前後に所望の隆起部がつくれない。
第１実施態様では、中心部における左右圧搾条溝間の距離は３３ｍｍであり、前端部圧搾条溝間の距離及び後端部圧搾条溝間の距離はいずれも２５ｍｍである。
【００１６】
前方部圧搾条溝７ｃと後方部圧搾条溝７ｄとは、前方部圧搾条溝７ｃの後端部１２ａと左右圧搾条溝７ａ、７ｂの前端部１２ｂ、及び後方部圧搾条溝７ｄの前端部１２ｄと左右圧搾条溝７ａ、７ｂの後端部１２ｃとが、それぞれ、幅方向において重なるように配置されることが好ましい。前方部圧搾条溝の後端部付近と後方部圧搾条溝の前端部付近で体液を吸収した場合でも、また幅方向に体液が拡がった場合にも、幅方向外側に更に圧搾条溝があるために漏れが少なくなるからである。
【００１７】
また、第１実施態様では、前方部圧搾条溝の後端部１２ａから長手方向中心線方向に引いた仮想延長線（図１ＢにＬ２で示す）が、左右圧搾条溝の前端部１２ｂ付近と交差するように設計されている。後方部圧搾条溝の前端部１２ｄから引いた仮想延長線についても、左右圧搾条溝の後端部１２ｃ付近と交差するように設計されている。前方部圧搾条溝に歩行等によって力が加わった場合には、その力は幅方向のみならず、仮想延長線方向にも加わるが、前方部圧搾条溝にかかる力を左右圧搾条溝の前端部１２ｂへと伝えやすくなるために、左右圧搾条溝によってより変形しやすい形状をつくることができるからである。また、該延長線方向は圧搾条溝の離間部分が小さくなる方向であるために、該離間部分に体液が付着した場合であってもより漏れにくい。
【００１８】
次に、本発明の吸収性物品の第２実施形態について説明する。第２実施形態については、第１実施形態とは異なる点を中心に説明し、同じ点については説明を省略する。従って、第２実施形態については、第１実施形態の説明が適宜適用される。
【００１９】
第２実施形態では、図２に示すように、一対の前方部圧搾条溝７ｃ及び一対の左右の後方部圧搾条溝７ｄはそれぞれ、体液の拡散を防ぐために、長手方向外側に凸に湾曲するように連結されている。
【００２０】
第３実施形態では、図４に示すように、前方部圧搾条溝７ｃの後端部１２ａと左右圧搾条溝７ａ、７ｂの前端部１２ｂとの重なり配置関係、及び後方部圧搾条溝７ｄの前端部１２ｄと左右圧搾条溝７ａ、７ｂの後端部１２ｃとの重なり配置関係は、後端部１２ａと前端部１２ｄとが、左右圧搾条溝の前後端部１２ｂ、１２ｃより内側にあってもよい。但し、第３実施態様では、第１実施態様に比べて、中心部で受け止めた体液の前後方向への拡散を防止する効果が若干劣る。これは、左右圧搾条溝の前端部（又は左右圧搾条溝の後前端部）から間隔を経て前方部圧搾条溝の後端部（又は後方部圧搾条溝の前端部）に力が加わるためと、前方部圧搾条溝の後端部（又は後方部圧搾条溝の前端部）に加わった力が、前方部圧搾条溝方向（又は後方部圧搾条溝方向）にも逃げやすくなるためである。
【００２１】
第４実施態様は、図５に示すように、第１実施態様において、左右圧搾条溝の前端部１２ｂと前方部圧搾条溝の後端部１２ａとは重ならず、かつ左右圧搾条溝の後端部１２ｃと後方部圧搾条溝の前端部１２ｄとは重ならない。更に、１２ｂと１２ａとの分離部分及び１２ｃと１２ｄとの分離部分のそれぞれ最も幅方向内側に、１２ｂと１２ａとを横断する横断圧搾条溝７ｅ、及び１２ｃと１２ｄとを横断する横断圧搾条７ｅが配置される。横断圧搾条溝の前後端部はいずれも、長手方向中心線に対して平行か又は幅方向外側に向いている。そのため、左右圧搾条溝の前後端部にかかる力を横断圧搾条溝に伝えることができ、吸収性物品の中心部の前後に隆起部を形成させることができる。従って、第４実施態様の吸収性物品でも、第１実施態様の吸収性物品と同様に、前後端部間付近において突起状に吸収性物品が折れ曲がることを防ぐ。
【００２２】
第５実施態様は、図６に示すように、左右圧搾条溝の前端部１２ｂの間、及び／又は左右圧搾条溝の後端部１２ｃの間に、長手方向中心線を横断する横断圧搾条溝７ｆが更に設けられる。そのため、左右圧搾条溝に急激に大きな力が伝わったとしても、横断圧搾条溝の剛性によって、吸収体が挫屈して突起状に変形しないようにできる。また、横断圧搾条溝は装着中の動作によって吸収性物品の幅は変動するが、横断圧搾条溝部の反発力によって幅を復元し、安定した吸収面を維持することができる。前後方部の横断圧搾条溝の形状は同一でよい。
【００２３】
また、第５実施形態における横断圧搾条溝７ｆは、左右圧搾条溝と所定の間隔を空けて配置される。そのため、例えば歩行時に右足から吸収性物品の前方向に、左足から吸収性物品の後ろ方向にと異なった位置で斜め方向に力が加わった際にも間欠部が折れ起点となり、左右の圧力が完全にかからなくても容易に変形することができる。また、間隔は前後の横断部の左右において均等であり、対象装着位置がずれていることがあっても、また様々な体勢においても製品を柔軟に保つことができる。
【００２４】
一方、左右圧搾条溝の前後端部付近を肌当接面側に凸状に変性させて隆起部を形成させるためには、左右圧搾条溝の剛性が強すぎると、そのような変形を阻害するおそれがあるため好ましくない。そのため、実施態様５では、図６の点線で囲まれた横断圧搾条溝Ｔの剛性は、２〜３５ｍＮの範囲（ガーレー柔軟度測定機（（株）安田精機製作所）による測定）にあることが好ましい。２ｍＮ未満では大きな力が加わった時にヨレやすく、３５ｍＮを超えると硬すぎて変形に支障をきたす。図６の点線で囲まれた左右圧搾条溝の剛性は１２ｍＮであり、横断圧搾条溝の剛性は８ｍＮである。
【００２５】
左右圧搾条溝の前端部１２ｂの間及び左右圧搾条溝の後端部１２ｃの間にそれぞれ、横断圧搾条溝７ｆが設けられる場合には、後方部の横断圧搾条溝部の剛性は、前方の横断圧搾条溝部の剛性よりも低い。後方部の剛性が低いと、前方部よりも後方部の方が変形しやすくなり、その結果、後方部では隆起する高さが高くなり、臀部にフィットしやすい。
【００２６】
第６実施態様（図７）では、横断圧搾条溝７ｆは吸収体のみに設けられるが（非図示）、第５実施態様の吸収性物品と同様の効果が得られる。
【００２７】
第７実施態様は、図８に示すように、図１における左右圧搾条溝７ａ、７ｂがそれぞれ、更に２つに分離されている（７ａ’と７ａ”、７ｂ’と７ｂ”）。２つに分離した圧搾条溝の内、左右圧搾条溝７ａ’、７ｂ’はそれぞれ、その前端部１２ｂ及び後端部１２ｃが、幅方向外側に向いているか又は長手方向中心線と平行になるように形成されている。
【００２８】
また、第７実施態様では、第５実施態様と同様に、横断圧搾条溝７ｆ、７ｇが更に設けられているが、前後の横断圧搾条溝の形状が異なる。前方の横断圧搾条溝は幅方向に伸びた形状であり、後方の横断圧搾条溝は長手方向に伸びた、より鋭角の形状をとる。これらの形状の相違は異なった横断圧搾条溝部の剛性を生じる。すなわち、前方の横断圧搾条溝部は後方の横断圧搾条溝部に比べて剛性が高い。異なった剛性を有する横断圧搾条溝を設けることにより、左右圧搾条溝に力が加わるとその力は左右圧搾条溝の前後端部へと伝わり、次いで剛性の低い後方の横断圧搾条溝に力が伝わるために、左右圧搾条溝の後端部間には、左右圧搾条溝の前端部間に形成される隆起部よりも高い隆起部が形成される。
【００２９】
第７実施態様では、前後の横断圧搾条溝の形状によって剛性差を出しているが、前記の第６実施形態では、同一の形状を有する前後の横断圧搾条溝を設ける際に、エンボス加工の度合いを調節することによって剛性差を出してもよい。前後の横断圧搾条溝の剛性差は、２〜１０ｍＮの範囲にあることが好ましく、２ｍＮ未満では後ろに効率的に力を伝えることができず、１０ｍＮを超えると片方に力が偏りすぎてしまい、吸収性物品が過度に変形する。
【００３０】
第７実施態様では、前方部の横断圧搾条溝の剛性は１０ｍＮであり、後方部の横断圧搾条溝の剛性は７ｍＮである。第７実施態様の吸収性物品は、体液が就寝時に臀部の溝を伝わって臀部後方に漏れたとしも、後方の横断圧搾条溝によって漏れを受け止めることができるので、夜間使用に適している。
【００３１】
次に、圧搾条溝の形状について図面を用いて説明する。
圧搾条溝は、図３に示すように、高圧搾部８と、高圧搾部８と交互に配した低圧搾部９とから成る。高圧搾部は吸収体の厚みに対して５０％以上が圧搾され、低圧搾部は２０％以上が圧搾されている。高圧搾部と低圧搾部とを設けることにより、液透過性シートと吸収体との接合力を高め、排泄物を高圧搾部に集めて排泄物の拡散を防ぐことができる。
【００３２】
また、図８に示すように、高圧搾部は、圧搾条溝を幅方向にほぼ横切るように形成されかつ圧搾条溝の長手方向に間隔をおいて配置されている横断高圧搾部領域１３ａと、圧搾条溝を横断しないように形成されかつ横断高圧搾部領域間に間隔をおいて配置されている非横断高圧搾部領域１３ｂとから成る。
図８では、横断高圧搾部領域１３ａと横断高圧搾部領域１３ａとの間に、非横断高圧搾部領域と低圧搾部とで形成される格子状圧搾条溝部が配置されている。格子圧搾条溝においては低圧搾部が溝方向に対して連続して形成されるために、溝に沿って体液が圧搾条溝の長手方向に沿って容易に拡散する。一方で低圧搾部が連続することで溝全体の剛性が連続してしまうため溝の流れに対して剛性が増加するが、複数個の横断部を設けることにより溝の剛性を部分的に変化させることで製品全体に柔軟性を持たせている。高圧搾部（横断高圧搾部領域）の形状は、圧搾条溝を幅方向にほぼ横切って、柔軟性を持たせることができる形状であれば特に制限されない。例えば、平面視で、ハート型（図８）、ダイヤ型、四角形、三角形、ドット状等でよい。
【００３３】
圧搾条溝の幅は、第１〜４実施形態及び第６実施形態では、ほぼ同一である。一方、第５実施態様では、図６の拡大図に示すように、横断高圧搾部領域と横断高圧搾部領域との間の圧搾条溝の幅（Ｗ１）は、横断高圧搾部領域の位置する圧搾条溝の幅（Ｗ２）よりも小さいことが好ましい。図７の実施態様でも同様である（図８の拡大図では非図示）。横断高圧搾部領域と横断高圧搾部領域との間の圧搾条溝部の剛性を下げ、より装着性を向上させることができるからである。
【００３４】
横断高圧搾部領域１３ａと横断高圧搾部領域１３ａとの距離は、１０ｍｍ〜５０ｍｍの範囲にあることが好ましい。１０ｍｍ未満では、溝幅全域に広がる高圧搾部間の距離が短すぎるために十分な量の体液を拡散させることができずに横漏れを発生するおそれがある。５０ｍｍを超えると、剛性領域が長すぎるために体の湾曲に沿いにくくなる。
【００３５】
横断高圧搾部領域１３ａと横断高圧搾部領域１３ａとの間に、上記の格子状圧搾条溝部が配置される場合、格子状圧搾条溝部の長さが長くなりすぎると、格子状圧搾条溝部の剛性が高くなりすぎて好ましくない。かかる場合には、例えば、剛性が互いに異なる横断高圧搾部領域を設けたり、図８の拡大図に示すように、横断高圧搾部領域に隣接させて、Ｚの長さを有する間欠部１４（低圧搾部）を設けたりすることができる。
【００３６】
次に、点状圧搾部について説明する。
吸収性物品の肌当接面側には、図８に示すように、透過性シートと吸収体とを一体化する、複数の点状圧搾部１０が一定の間隔を空けて配置されてもよい。点状圧搾部の配置により、吸収性物品が隆起部を形成した時にその隆起部の斜面に肌当接面側に向かって凹状の溝が形成され、隆起部の頂部に付着した排泄物は斜面を滑って横漏れすることなく、溝に吸収される。
点状圧搾部は、少なくとも吸収性物品の包装折位置（図８のＢ−Ｂ’）の近傍部位に配置されることが好ましい。
【００３７】
点状圧搾部の形状は特に限定されない。例えば、四角形、三角形、菱形、丸形、星形等のいずれでもよいが、長手方向に長い菱形であることが好ましい。長い菱形であると、左右圧搾条溝に力が加わった際に肌当接面側に点状圧搾部が持ち上がりやすく、吸収性物品が折れ曲がりやすくなるからである。
点状圧搾部の上面開口の幅は、圧搾条溝の上面開口の幅よりも小さいことが好ましく、具体的には、０．３〜５ｍｍの範囲、好ましくは０．５〜３ｍｍの範囲であり、通常約１．２ｍｍである。
圧搾条溝と点状圧搾部との間隔、及び点状圧搾部間の間隔は、２０ｍｍ以下、好ましくは１５ｍｍ以下、より好ましくは１０ｍｍ以下である。点状圧搾部の深さは、圧搾条溝の低圧搾部の深さよりも深いことが好ましい。
【００３８】
次に、吸収性物品を構成する材料について説明する。
吸収体は体液の吸収保持が可能であればよく、嵩高であり、型崩れし難く、化学的刺激が少ないものであることが好ましい。例えば、粉砕パルプ、コットン等のセルロース；レーヨン、フィブリルレーヨン等の再生セルロース；アセテート、トリアセテート等の半合成セルロース；粒子状ポリマー；繊維状ポリマー；熱可塑性疎水性化学繊維、又は親水化処理を施した熱可塑性疎水性化学繊維、ケミカルボンド処理されたエアレイドパルプ等を単独又は混合して用いることができる。親水性が良好に維持される点から、セルロース繊維が好ましい。
【００３９】
これらの材料を吸収体に成形する方法は特に限定されないが、後記実施例１〜３に示すように粉砕したパルプを成形する方法以外に、例えばエアレイド法、メルトブローン法、スパンレース法、抄紙法等によってシート化する方法が使用できる。
【００４０】
また、吸収体としてセルロース発泡体、合成樹脂の連続発泡体等も使用できる。更に、発泡体又は前記シート化した材料を粉砕した後に吸収体に成形したものを使用することもできる。これらの中でも、パルプを８０〜１００％の範囲、粒子状ポリマーを２０〜０％の範囲で混合し、ティッシュ等の台紙で被覆した後、エンボス加工によりシート化した目付１００〜２０００ｇ／ｍ２、１〜５０ｍｍの嵩を有する吸収体が挙げられる。
エンボス加工は吸収体の型崩れを防止するためであり、エンボス面積率は１０〜１００％の範囲、好ましくは３０〜８０％の範囲である。
【００４１】
更には、薄型吸収体の材料の例としては、吸収シート及びポリマーシートが挙げられ、その厚さは、０．３〜５ｍｍであるのが好ましい。この吸収シート及びポリマーシートとしては、通常、生理用ナプキンなどの吸収性物品に用いられるものであれば特に制限なく用いることができる。吸収シートとしては、吸収紙や不織布、繊維をバインダー等でシート化したパルプシート等が挙げられ、上記ポリマーシートとしては、粉砕パルプ、及び繊維に粒子状ポリマーを混合してシート状に形成したシート等が挙げられる。尚、繊維に粒子状ポリマーを混合してシート状に形成したシートとしては、粒子状ポリマーが層状に分散されているもの、三次元状に分散されているもののいずれも用いることができる。ポリマーシートに用いられる粒子状ポリマーとしては、自重の２０倍以上の液体を吸収・保持できかつゲル化し得るものが好ましく、そのような例としては、デンプンや架橋カルボキシメチル化セルロース、ポリアクリル酸及びその塩並びにポリアクリル酸塩グラフト重合体等を挙げることができる。また、エンボス部との接合強度を十分に保つために、前記の熱可塑性化学繊維として、熱融着性の高いものを用いることが好ましい。直鎖状PE、低密度PE、高密度PE等を鞘構造に持つ繊維や、ＰＰやＰＥＴにＰＥを挟み込みシート状に形成したものを短冊状に分けたもの等を加えることにより、エンボスの熱による接合をより強固なものに維持できる。
【００４２】
液透過性シートとしては、液体を透過する構造のシート状材料であれば、特に限定されない。織布、不織布の素材としては、天然繊維、化学繊維のいずれも使用できる。天然繊維の例としては、粉砕パルプ、コットン等のセルロースが挙げられる。化学繊維の例としては、レーヨン、フィブリルレーヨン等の再生セルロース、アセテート、トリアセテート等の半合成セルロース、熱可塑性疎水性化学繊維、又は親水化処理を施した熱可塑性疎水性化学繊維が挙げられる。
熱可塑性疎水性化学繊維としては、ポリエチレン（ＰＥ）、ポリプロピレン（ＰＰ）、ポリエチレンテレフタレート（ＰＥＴ）等の単繊維、ＰＥとＰＰをグラフト重合してなる繊維、芯鞘構造等の複合繊維が例として挙げられる。
【００４３】
不液透過性のシートは、ＰＥ、ＰＰ等を主体としたフィルム、通気性の樹脂フィルム、スパンボンド又はスパンレース等の不織布に通気性の樹脂フィルムが接合されたもの、三層構造等の複数層構造などを好適に用いることができる。着用感を損なわない柔軟性を考慮すると、例えば低密度ポリエチレン（ＬＤＰＥ）樹脂を主体とした目付１５〜３０ｇ／ｍ２の範囲から得られるフィルムを使用することが好ましい。
【００４４】
液透過性シートと吸収体との間にはセカンドシートを配してもよい。素材、製法に関しては上記の透過性シートで採用されるものであれば特に限定されないが、液透過性シートから体液を吸収しやすいように、液透過性シートよりもセカンドシートの密度を高めたものを用いることが好ましい。
【００４５】
液不透過性シートの肌非当接面には、ショーツ等の下着に固定するためのズレ止め部材１１が液不透過性シートの肌非当接面側に設けられていることが好ましい。ズレ止め部材は、線状や帯状のように連続して塗工されていても、あるいは断続的に塗工されていてもよい。ズレ止め部材としては、例えばホットメルト型接着剤が挙げられる。ホットメルト型接着剤としては、常温時にタック性を有しているものが好ましく、例えば感圧型接着剤が挙げられる。目付は１０〜２００ｇｓｍでコーター塗工、ビード塗工などによって、均一、スジ状、ドット状のパターンで塗工される。また、アクリル系の接着剤も好ましく使用できる。他の例としては、テープ部とテープ部表面に起立する複数のフック部が挙げられる。
【００４６】
本発明の吸収性物品は、生理ナプキン、パンティライナー、失禁パッド等して使用することができる。
【００４７】
本発明の吸収性物品の製造方法は、少なくとも、液透過性シート２と吸収体４とを重ね、厚さ方向に圧搾するエンボス加工工程を含む。吸収性物品の長手方向側縁部に沿って形成される圧搾条溝（左右圧搾条溝、前方部圧搾条溝、後方部圧搾条溝）と、横断圧搾条溝と、点状圧搾部とは、エンボス加工により同時に形成してもよく、あるいはいずれかの順で別個に形成してもよい。例えば、同時に形成する場合には、ローラ面にこれらの圧搾条溝の全体形状に対応する凸条及び点状圧搾部の全体形状に対応する凸部が形成されたロール（第１ロール）と、平滑なロール（第２ロール）との間に、液透過性シートと吸収体とを重ねた吸収性材料を、液透過性シートが第１ロールに接するように配置し、該吸収性材料を圧搾する。
【００４８】
但し、実施態様６の吸収性物品においては、吸収体のみに横断圧搾条溝を有するため、例えば、まず吸収体をエンボス加工して横断圧搾条溝を形成し、次いで吸収体と液透過性シートとを重ねてエンボス加工して、上記の長手方向側縁部に沿って形成される圧搾条溝及び点状圧搾部を形成する。この方法では、横断圧搾条溝と左右圧搾条溝を別個に形成するため、エンボス加工の強さを調整して、左右圧搾条溝の剛性を横断圧搾条溝の剛性よりも高くすることが容易にできる。
【００４９】
最後に、エンボス加工された吸収性材料の吸収体４の肌非当接面側に液不透過性シート３を供給して、吸収体４と液不透過性シート３とを接合する。吸収体と液不透過性シートとの接合には、例えばホットメルト接着剤を使用してもよい。
【００５０】
上記実施形態においては、生理用ナプキンの製造方法を例に説明したが、この方法は、他の吸収性物品、例えばパンティライナー、失禁パッド等の製造にも適用することができる。
【図面の簡単な説明】
【００５１】
【図１】図１は、本発明の吸収性物品の第１実施形態を示す平面図を示す。
【図１Ａ】図１Ａは、図１における前方部圧搾条溝の後端部１２ａと右圧搾条溝１２ｂとの重なり部の拡大図である。点線Ｌ１は、前端部１２より長手方向に延ばした仮想延長線を示す。
【図１Ｂ】図１Ｂは、図１における前方部圧搾条溝の後端部１２ａと右圧搾条溝１２ｂとの重なり部の拡大図である。点線Ｌ２は、前方部圧搾条溝の後端部１２ａから長手方向中心線方向に引いた仮想延長線を示す。
【図２】図２は、本発明の吸収性物品の第２実施形態を示す平面図を示す。
【図３】図３は、図１及び図２の吸収性物品のＡ−Ａ’断面図を示す。
【図４】図４は、本発明の吸収性物品の第３実施形態を示す平面図を示す。
【図５】図５は、本発明の吸収性物品の第４実施形態を示す平面図を示す。
【図６】図６は、本発明の吸収性物品の第５実施形態を示す平面図、及び圧搾条溝の拡大図を示す。
【図７】図７は、本発明の吸収性物品の第６実施形態を示す斜視図を示す。
【図８】図８は、本発明の吸収性物品の第７実施形態を示す平面図、圧搾条溝の拡大図、及び点状圧搾部の拡大図を示す。
【符号の説明】
【００５２】
１    吸収性物品
２    液透過性シート
３    液不透過性シート
４    吸収体
５    吸収体中央領域
６    サイドシート
７ａ    左圧搾条溝
７ｂ    右圧搾条溝
７ａ’、７ａ”    左圧搾条溝
７ｂ’、７ｂ”    右圧搾条溝
７ｃ    前方部圧搾条溝
７ｄ    後方部圧搾条溝
７ｅ、７ｆ、７ｇ    横断圧搾条溝
８    高圧搾部
９    低圧搾部
１０    点状圧搾部
１１    ズレ止め部材
１２ａ    前方部圧搾条溝の後端部
１２ｂ    左圧搾条溝の前端部、右圧搾条溝の前端部
１２ｃ    左圧搾条溝の後端部、右圧搾条溝の後端部
１２ｄ    後方部圧搾条溝の前端部
１３ａ    略横断高圧搾部
１３ｂ    非横断高圧搾部
１４    間欠部
ＣＤ    吸収性物品中心部における右圧搾条溝と左圧搾条溝との距離
ＦＤ    右圧搾条溝の前端部と左圧搾条溝の前端部との距離、右圧搾条溝の後端部と左圧搾条溝の後端部との距離
Ｙ    力が加わる領域
Ｚ    間欠部の長さ
Ｗ１    略横断高圧搾部と略横断高圧搾部との間の圧搾条溝の幅
Ｗ２    略横断高圧搾部の位置する圧搾条溝の幅
【図１】
2010148719.tif 000003
【図１Ａ】
2010148719.tif 000004
【図１Ｂ】
2010148719.tif 000005
【図２】
2010148719.tif 000006
【図３】
2010148719.tif 000007
【図４】
2010148719.tif 000008
【図５】
2010148719.tif 000009
【図６】
2010148719.tif 000010
【図７】
2010148719.tif 000011
【図８】
2010148719.tif 000012